Podtech/llm-jp-corpus-v4-ja_patent huggingface dataset:
(57)【要約】【課題】  人や犬等が使用する日除け兼雨除け用衣類は、フード部分を支える機能がなくフード部分の一部が頭部に接触して不快であり、頭部を覆うフード部分に風等を受けるとフード部分が頭部から外れることがあり、安定して使用することができなかった。  また、衣類の裾部分が雨水等で濡れると裾部分が体にまとわりつき足もとが濡れて不快であった。【手段】  日除け兼雨除け用衣類の衣類とフード部分に空気等を入れると膨張して広がる空間を設け、空間の一部に空気等を出し入れするための放出入口を設け、放出入口から空気等を入れて放出入口を閉じる。【選択図】図１
2016148130.tif 000002
【特許請求の範囲】
【請求項１】
人や犬等が使用する日除け兼雨除け用衣類であって、衣類（１）とフード部分（２）に空気等を入れると膨張して広がる空間（３）を設け、空間（３）の一部に空気等を出し入れするための放出入口（４）を設け、日除け効果、雨除け効果が得られる日除け兼雨除け用衣類。
【請求項２】
人や犬等が使用する日除け兼雨除け用衣類であって、衣類（１）とフード部分（２）に設けた空間（３）の位置と形状を変えることで、日除け効果、雨除け効果が得られる請求項１の日除け兼雨除け用衣類。
【発明の詳細な説明】
【技術分野】
【０００１】  本発明は、人や犬等が使用する日除け兼雨除け用衣類に関するものである。
【背景技術】
【０００２】  従来、人や犬等が使用する日除け兼雨除け用衣類は、フード部分を支える機能がなくフード部分が頭部を覆うだけであった。【０００３】  人や犬等が使用する日除け兼雨除け用衣類を雨天時に使用した場合、衣類の裾部分が雨水等で濡れると裾部分が体にまとわりつき、足もとが濡れて不快であった。【０００４】  人が使用する日除け兼雨除け用衣類は、雨天時に使用する雨合羽及びレインコート（特許文献１）防災用雨合羽（特許文献２）等がある。
【先行技術文献】
【０００５】
【特許文献１】特開２０１２−００７２７９号公報
【特許文献２】特開２０１３−０８６７８８号公報
【発明の概要】
【発明が解決しようとする課題】
【０００６】  従来の人や犬等が使用する日除け兼雨除け用衣類は、次のような欠点があった。
（イ）、人や犬等が使用する日除け兼雨除け用衣類は、フード部分を支える機能がなくフード部分の一部が頭部に接触して不快である。
（ロ）、人や犬等が使用する日除け兼雨除け用衣類は、頭部を覆うフード部分に風等を受けるとフード部分が頭部から外れることがあり、安定して使用することができなかった。
（ハ）、人や犬等が使用する日除け兼雨除け用衣類を雨天時に使用した場合、衣類の裾部分が雨水等で濡れると裾部分が体にまとわりつき足もとが濡れて不快であった。
（ニ）、人が使用する日除け兼雨除け用衣類で、フード部分を数本の支柱等で支える構造の雨具等は、構造が複雑になり使用上の不便さと、簡易に脱着して携帯できないことから実用的でなかった。
本発明は、以上のような欠点をなくすために発明されたものである。
【課題を解決するための手段】
【０００７】  日除け兼雨除け用衣類の衣類（１）とフード部分（２）に空気等を入れると膨張して広がる空間（３）を設け、空間（３）の一部に空気等を出し入れするための放出入口（４）を設け、放出入口（４）から空気等を入れて放出入口（４）を閉じる。
以上の構成よりなる日除け兼雨除け用衣類。
【発明の効果】
【０００８】  本発明の日除け兼雨除け用衣類を使用することによって、雨や日差しから安全かつ簡易に日除け効果、雨除け効果を得ることができ、空気等を使用するので経済的に繰り返し使用することができ、軽量化が図れ、簡易に携帯することができる。【０００９】  空気等を使用することで複雑な骨組みの構造を必要とせず、簡易に装着できることから犬等の動物にも安全かつ簡易に使用することができる。
【図面の簡単な説明】
【００１０】
【図１】本発明の人が使用する使用状態を示した正面図
【図２】本発明の人が使用する使用状態を示した側面図
【図３】本発明の犬等が使用する使用状態を示した正面図
【図４】本発明の犬等が使用する使用状態を示した側面図
【図５】本発明の人が使用する図１とは衣類の一部が異なる使用状態を示した正面図
【発明を実施するための最良の形態】
【００１１】  以下、本発明の実施の形態を説明する。
（イ）、衣類（１）とフード部分（２）に空気等を入れると膨張して広がる空間（３）を設け、空間（３）の一部に空気等を出し入れするための放出入口（４）を設け、放出入口（４）は開閉自在にする。
（ロ）、図１、図２、図３、図４、図５が示す通りフード部分（２）の空間（３）の一部に設けた放出入口（４）から空気等を入れ、放出入口（４）を閉じると、空間（３）が膨張して頭部を覆うように広がり日除け効果、雨除け効果が得られる形状を保持する。
（ハ）、図１、図５が示す通り衣類（１）の空間（３）の一部に設けた放出入口（４）から空気等を入れ、放出入口（４）を閉じると、空間（３）が膨張して体を囲むように広がり日除け効果、雨除け効果が得られる形状を保持する。
本発明は、以上の構成よりなる。【００１２】  本発明を使用する場合は、衣類（１）とフード部分（２）の空間（３）に設けた放出入口（４）から空気等を入れ、放出入口（４）を閉じる。フード部分（２）は、頭部を覆うように広がった形状を保持し、フード部分（２）の一端にひさし（５）を設ける。衣類（１）は、空気等を入れて膨張した空間（３）が、体を囲むように広がった形状を保持することで体と衣類の間に一定の距離ができる。
フード部分（２）の首の位置に当たる空間（３）を広くすることで使用したときにフード部分（２）が安定する。また、衣類（１）に設けた空間（３）の幅の形状を変えることで空気等を入れた空間（３）が機能的に動く。
使用しないときは、放出入口（４）を開き空間（３）に入れた空気等を放出すれば良い。
【符号の説明】
【００１３】    １  衣類
２  フード部分
３  空間
４  放出入口
５  ひさし
６  ハーネス
【図１】
2016148130.tif 000003
【図２】
2016148130.tif 000004
【図３】
2016148130.tif 000005
【図４】
2016148130.tif 000006
【図５】
2016148130.tif 000007
(57)【要約】      （修正有）【課題】配管枝管内の流体の停滞を無くす流体循環装置を提供する。【解決手段】流体本管８に分岐継ぎ手３と枝管６を接続し、流体本管内８に枝管循環装置１を設置し、枝管循環装置１に接続される枝管内管２を枝管６内に配設し、本管内の流れ９は本流通路１１に流れ込み、ノズル１０から噴出し、ノズル１０噴出口周辺でベンチュリー効果により負圧が発生し、枝管内管２の開口部１２より枝管内管の流体を吸い出すことで枝管の流体の停滞を無くすことができる。【選択図】図１
2016125595.tif 000002
【特許請求の範囲】
【請求項１】
分岐継ぎ手の本流出口側に、装着することにより、枝管内の流体を、入れ替える装置。
【請求項２】
分岐継ぎ手の本流出口に限らず本管内のいずれの場所でも作動する、枝管循環装置。
【発明の詳細な説明】
【技術分野】
【０００１】本発明は、配管枝管内の、流体循環装置である。
【背景技術】
【０００２】本来、配管枝管部の流体は、枝管の先端の、バルブ蛇口等を、開放しない限り、動きが無く、そのため外気温に影響され、凍結、温度上昇、等の、問題が起きた。
枝管の、停滞を無くすには、循環ポンプを使っての往復配管が必要だった。
【発明の概要】
【発明が解決しようとする課題】
【０００３】これには次のような欠点があった。
（イ）配管、往復のため、管材、保温資材、が多く必要。
（ロ）配管放熱面積の拡大。
（ハ）施工時間施工技術が必要。
（ニ）ポンプが必要。
（ホ）ポンプの運転維持費が必要。
（ヘ）騒音が、発生する。
（ト）接続箇所が、増える。
（チ）配管スペースが、多く必要。
本考案は、以上のような欠点をなくすために、なされたものである。
【課題を解決するための手段】
【０００４】枝管内の、停滞した流体を、本流の流れる力により、本流に戻す。
【発明の効果】
【０００５】本考案の枝管循環装置は、どのような、流体，どのような分岐継ぎ手にも、使用できるが、主として、樹脂ホース用に、考案したもので、通常の、ホース接続作業により、枝管内の水、等の、停滞を無くすことができる。
【図面の簡単な説明】
【０００６】
【図１】は、本考案、枝管循環装置の、作動概念図である。
【図２】は、本考案、枝管循環装置の、姿図である。
【図３】は、本考案、枝管循環装置の、断面図である。
【発明を実施するための形態】
【実施例】
【０００７】枝管循環装置（１）に、取り付けた、枝管内管（２）を、市販の分岐継ぎ手（３）の本流出口側（４）より枝管取り付け口（５）に通し、枝管（６）内を  進み、枝管先端、手前でとめる。
市販の分岐継ぎ手（３）の、流入口（７）には、本管（８）を接続一定圧の、流体を流す。【０００８】市販の、分岐継ぎ手（３）の本流出口側（４）に循環装置（１）添え、本管（８）取り付け終了する。【０００９】枝管循環装置本体の動作。
本管内の流れは（９）は、市販分岐継ぎ手（３）の、中を流れ、その先の循環装置（１）阻まれて、枝管内の圧を、高めながら、枝管循環装置（１）に、数か所作られた、本流通路（１１）に流れ込み、ノズル（１０）より噴出する。
この時ノズル（１０）噴出口周辺で、ベンチュリー効果により、負圧が、発生し、枝管循環装置（１）、の中央付近に、開けられた枝管内管（２）の開口部（１２）より枝管内管（２）の、流体を吸い出す。【０００１０】枝管の内圧は、すでに高められており、枝管内の流体の動きを助ける。
【符号の説明】
【０００１１】（１）枝管循環装置
（２）枝管内管
（３）市販分岐継ぎ手
（４）本流出口
（５）枝管取り付け口
（６）枝管
（７）流入口
（８）本管
（９）本管内の流れ
（１０）ノズル
（１１）本流通路
（１２）開口部
【図１】
2016125595.tif 000003
【図２】
2016125595.tif 000004
【図３】
2016125595.tif 000005
(57)【要約】      （修正有）【課題】ウィンカー（方向指示機）を操作する時、腕を下げた位置からでもレバーを上下に操作できるように、ウィンカーレバーに取り付け可能な構造物を提供する。【解決手段】ウィンカーレバーに装着するスプリングクランプ１、可動レバー２、接合ボルト・ナット３を組み込んだ構造の物体。ウィンカーレバーに挟み込んで固定装着しウィンカレバーを連動し動かせるようにした。【選択図】図１
2016125594.tif 000002
【特許請求の範囲】
【請求項１】
ウィンカーレバーに装着し、ウィンカーの操縦位置を広範囲にした構造物。
【発明の詳細な説明】
【技術分野】
【０００１】この発明は、ウィンカーレバーに着脱可能な物品。
レバーを操作する位置を、広範囲にする為の楽々ウィンカームーバーにかんするものである。
【背景技術】
【０００２】従来、ウィンカーレバーはハンドル中心を通る水平線上より上方に操作するポイントがあった。
【先行技術文献】
【特許文献】
【０００３】
【発明の概要】
【発明が解決しようとする課題】
【０００４】これは次のような欠点があった。
従来ウィンカーを操作するとき腕を上げてレバーを操作せざるえなかった。
その為、長時間運転や業務で一日中車を運転する者にとっては肉体的に負担となっていた。
本発明は、ウィンカーレバーを操作する位置を広範囲で可能にし、ウィンカーの操作に依る体の負担を軽減するための物です。
【課題を解決するための手段】
【０００５】ウィンカーレバーに装着する（１）スプリングクランプ、（２）可動レバー、（３）接合ボルト・ナットを組み込んだ構造の物体。
ウィンカーレバーをに固定挟み込んでレバーに装着し連動してウィンカーを動かせるようにした構造の物体。
【発明の効果】
【０００６】ウィンカーを作動させるとき、腕を下げた状態でも操作可能となった。
従来の操作も可能で広範囲での方向指示機操作を可能とした。
【図面の簡単な説明】
【０００７】
【図１】本発明の斜視図▲１▼である。
【図２】本発明の斜視図▲２▼である。
【図３】本発明の斜視図▲３▼である。
【図４】本発明の配置図▲４▼である。
【発明を実施するための形態】
【０００８】以下、本発明を実施するための形態について説明する。
ウィンカーレバーでで挟み込む（１）スプリングクランプ、（２）可動レバー、（３）接合ボルト・ナットで完成する。
スプリグクランプは、挟み込む位置を２点保有し、滑り止め用ゴムを組み込んだ形態である。
本発明は以上のような構造である。
これを使用するときは、ヘッドライトスイッチの回転部分を避けた位置でウィンカーレバーを挟み、締め付けボルトでしっかり固定させて使う。
【符号の説明】
【０００９】（１）スプリングクランプ
（２）可動レバー
（３）接合ボルト・ナット
【図１】
2016125594.tif 000003
【図２】
2016125594.tif 000004
【図３】
2016125594.tif 000005
【図４】
2016125594.tif 000006
(57)【要約】【課題】従来のスノーダンプは、専ら雪運搬として用いられ、雪の運搬以外の作業として  は用いられず、汎用性に欠如していた。【解決手段】スノーダンプのバケット上に、略コの字形の回動機構付きあおり板を取りつ  けることで、あおり板を後方に降着した場合は多量の雪の積載を、前方に降着した場合  は手前に引いてもバケットから荷物を、落下させずに運べる荷物運搬兼用スノーダンプ  の提供が可能となる。【選択図】図１
2016125196.tif 000002
【特許請求の範囲】
【請求項１】
スノーダンプ（１）のバケット（２）上端周縁部（３）の左右側面の中心に、略コの    字型に成形してなるあおり板（５）を連結ボルト（６）で外嵌し、前記連結ボルトを    回転軸として前記あおり板を回動させ、雪（A）を運搬する場合は前記あおり板を後    方に降着、荷物（B）を運搬する場合は前記あおり板を前方に降着する、回動機構を    設けたことを特徴とするあおり板付きスノーダンプ。
【請求項２】
長方形の板版を長手方向左右全長の四分の一の箇所で、二等辺三角形に両端を切削し    、略コの字型に内側に曲げてなるあおり板（５）から構成されることを特徴とする請    求項１記載のあおり板付きスノーダンプ。
【発明の詳細な説明】
【技術分野】
【０００１】
本発明は、多量の雪を積載して運ぶことができ、荷物運搬にも使用可能な除雪用具      に関するものである。
【背景技術】
【０００２】
従来、スノーダンプは冬期間の積雪地域で専ら除雪作業に用いられているが、大量      の雪を処理するためには、繰返し雪を運ぶ必要があり、多くの時間を要した。この      ため、バケット上に嵩上げ器具やラッセルボードを取付け、一度に多くの雪を運ぶ      ことが出来るスノーダンプが発明されている。（例えば、特許文献１及び特許文献      ２参照）
【先行技術文献】
【特許文献】
【０００３】
【特許文献１】特開２００５−２９０８００号公報
【特許文献２】特開２００４−３４６７２５号公報
【発明の概要】
【発明が解決しようとする課題】
【０００４】
これら従来のスノーダンプは、専ら除雪用具として用いられ、除雪以外の作業に不      向きで、作業用具の汎用性が欠如している。また、大量運搬用に発明された上記嵩      上げ器具やラッセルボード付きスノーダンプにおいても、これらの器具がスノーダ      ンプに固定されているため、ハンドルを前方に押す作業には適するが、バケットに      荷物を載せてハンドルを手前に引く運搬作業には適さない。
【０００５】
本発明は、多量の雪を積載して運べるだけでなく、ハンドルを手前に引いてもバケ      ットから荷物を落下させずに運べる、荷物運搬兼用スノーダンプを提供するもので      ある。
【課題を解決するための手段】
【０００６】
スノーダンプのバケット上端周縁部の左右側面の中心に、略コの字型に成形してな      るあおり板を連結ボルトで外嵌し、連結ボルトを回転軸としてあおり板を回動させ      、雪を運搬する場合はあおり板を後方に降着、荷物を搬送する場合はあおり板を前      方に降着する、回動機構を設けたあおり板付きスノーダンプ。
【０００７】
長方形の板版を長手方向左右全長の四分の一の箇所で、二等辺三角形に両端を切削      し、略コの字型に内側に折り曲げてなるあおり板から構成されることを特徴とする      請求項１のあおり板付きスノーダンプ。
【発明の効果】
【０００８】
本発明のあおり板付きスノーダンプは、前記あおり板を後方に回動降着させて雪を      運搬する（ハンドルを押す）場合、通常より約２倍の量の雪をバケットに嵩上げし      積載でき、雪運搬の繰返し作業を大幅に減らすことが出来る。さらに、前記あおり      板を前方に回動降着させて荷物を積載して運搬する（ハンドルを手前に引く）場合      、バケット上の荷物はあおり板によって転落が防止でき、荷造り紐によって荷崩れ      を防止できる。
【図面の簡単な説明】
【０００９】
【図１】あおり板（後方降着）付きスノーダンプの斜視図
【図２】あおり板（前方降着）付きスノーダンプの斜視図
【図３】あおり板付きスノーダンプ平面図
【図４】あおり板成形図（曲げ加工前）
【図５】あおり板成型図（曲げ加工後）
【図６】連結ボルトの要部拡大図
【図７】雪の運搬の使用状況図
【図８】荷物の運搬の使用状況図
【発明を実施するための形態】
【００１０】
以下、本発明の実施形態を説明する。
スノーダンプ（１）のバケット（２）上端周縁部（３）に外嵌するあおり板（５）      は、図４及び図５に示すように、長方形の板版を長手方向左右全長の四分の一の箇      所で二等辺三角形に両端を切削し、略コの字型に内側に折り曲げて成形してなる。
【００１１】
前記略コの字型に成形してなるあおり板（５）は、図６に示すように、連結ボルト    （６）を用いて前記バケット上端周縁部（３）に補強材（９）を介して外嵌し、図１    及び図２に示すように、前記連結ボルトを軸に前記あおり板が前方、後方に回動降着    できる機構とする。
【００１２】
前記略コの字型に成形してなるあおり外板（５）は、外嵌する連結ボルト（６）のナ    ットで着脱可能なものとする。
【００１３】
図８で示すように、前記連結ボルトは延伸して荷造り用のフック金具（７）として使    用できる長さとする。
【００１４】
あおり板は、樹脂板、鋼板、アルミ板等を用いて成形してなる。
【産業上の利用可能性】
【００１５】
あおり板付きスノーダンプは、除雪、荷物運搬用具として一般家庭以外にも、宅配便    等搬送、農魚業作業、工場部品移動等に使用することが可能である。
【符号の説明】
【００１６】
１  スノーダンプ
２  バケット
３  上端周縁部
４  先端部
５  あおり板
６  連結ボルト
７  フック金具
８  ハンドル
９  補強板
A  雪
A'  嵩上げ雪
B  荷物
C  荷造り紐
【図１】
2016125196.tif 000003
【図２】
2016125196.tif 000004
【図３】
2016125196.tif 000005
【図４】
2016125196.tif 000006
【図５】
2016125196.tif 000007
【図６】
2016125196.tif 000008
【図７】
2016125196.tif 000009
【図８】
2016125196.tif 000010
(57)【要約】【課題】  従来の型鋼材を構成材とした耐震振れ止め設備は、製作に高いコストを費やしていた。  また、他の方法として、汎用性の高い全ネジシャフトの吊り支持材と、全ネジシャフトの筋交い材で構成する耐震振れ止め設備では、圧縮応力を受ける筋交い材が全ネジシャフトで耐座屈性能に乏しく、十分な耐震性能が確保できなかった。【解決手段】  本発明は、調達性の良い全ネジシャフトの吊り支持材と、全ネジシャフトの筋交い材で構成する耐震振れ止め設備で、全ネジシャフトの筋交い材に汎用性が高く調達性の良い鋼管をさやとして組み合わせる事で、圧縮応力を耐座屈性能のよい鋼管に配分し、さらに、筋交い部分を四角錘状とし、中間に筋交い連結金物を設け、上下に四角錘状の筋交いを設けて、筋交いの長さを上下に半分に分け、機器の吊代が大でも、圧縮応力による筋交いの座屈を防ぐ事が出来る耐震振れ止め設備。【選択図】図１
2016125654.tif 000002
【特許請求の範囲】
【請求項１】
建築物の天井内に設ける空調機や、排風機等に設ける耐震振れ止め設備において、全ネジシャフトの吊り支持材と、全ネジシャフトの筋交いで構成される耐震振れ止め設備において筋交い部分を全ネジシャフト材に鋼管をさやとして組み合わせる事で、圧縮応力を耐座屈性能のよい鋼管に配力し、さらに、筋交い部分を四角錘状とし、中間に筋交い連結金物を設け、上下に四角錘状の筋交いを設けて、筋交いの長さを半分にする事で、吊代が大きい場合も、圧縮応力による筋交いの座屈を防ぐことが出来る耐震振れ止め設備。
【発明の詳細な説明】
【技術分野】
【０００１】  本発明は、鋼管を併用した四角錘状の筋交いで構成した、耐震振れ止め設備に関する。
【背景技術】
【０００２】  建築物の天井内に設ける空調機、排風機等に設ける従来の耐震振れ止め設備では、全ネジシャフトとナットで構成される吊り支持材と、全ネジシャフトとナットで構成される筋交い材で構成する耐震振れ止め設備がある。（例えば、非特許文献１および非特許文献２参照）また、建築物の天井内に設ける空調機、排風機等に設ける従来の耐震振れ止め設備では、型鋼材を構成材とした耐震振れ止め設備がある。（例えば、特許文献３）
【先行技術文献】
【特許文献】
【０００３】
【特許文献１】  特許公開２０１４−２１４７８８  公報
【特許文献２】  特許公開２０１２−８７８６０  公報
【特許文献３】  特許公開２００２−３６４９１１  公報
【非特許文献】
【０００４】
【非特許文献１】「ネグロス電工株式会社  電路支持材総合カタログ」，総合カタログ，空調・衛生配管資材ウィンラック掲載版，２０１３／１４Ａ，ｐ．１３６
【非特許文献２】「因幡電工株式会社  ２０１４総合カタログ」，因幡電工事業部２０１４年度版総合カタログ，ｐ．８−２７
【発明の概要】
【発明が解決しようとする課題】
【０００５】  以上に述べた従来の耐震振れ止め設備において、型鋼材を構成材とした耐震振れ止め設備では、それぞれ寸法の異なる工場生産の振れ止め設備を使用しているが、それ等は、汎用性に乏しく、特注品であり、高いコストを費やしていた。
又、他の方法として、汎用性の高い全ネジシャフトとナットで構成される吊り支持材と全ネジシャフトとナットで構成される筋交い材で構成する耐震振れ止め設備では、圧縮応力を受ける筋交い材が全ネジシャフトであるので、耐座屈性能に乏しく、十分な耐震性能が確保できなかった。【０００６】  以上述べた従来の生産効率が悪い構成をせず、汎用性の高い材料で、寸法対応性がよく簡単に調達できる材料で、現場加工性に適した材料を使用した耐震振れ止め設備で、溶接等の高度な加工を要せず、十分な耐震性能に対応できる耐震振れ止め設備の供給をを目的とするものである。【０００７】  本発明は、このような従来の構成が有していた問題を解決しようとするものであり、汎用性の高い全ネジシャフトとナットで構成される吊り支持材４と、全ネジシャフトとナットに鋼管のさやで構成される筋交い材５で構成するものであるが、筋交い材５を四角錘状に構成し、中間に筋交い連結金物１を設けて、上下に四角錘状の筋交い５を設け、筋交いの長さを上下に半分に分割する事で、吊下げる機器の吊代が大きい場合でも、筋交いの圧縮応力による筋交いの座屈に対する耐座屈性能を大きく向上することが出来る耐震振れ止め設備である。
【発明の効果】
【０００８】  上述したように本発明の耐震振れ止め設備は、汎用性が高くて、簡単に調達できる材料で構成でき、現場での作業性がよく、低コストで、短時間で製作でき、溶接作業等の難易な作業や高度な品質管理を要せず、均一な品質の耐震振れ止め設備を確保できるものである。
【図面の簡単な説明】
【０００９】
【図１】本発明の実施形態を示す空調機の耐震振れ止設備の組み合わせの立体図
【図２】筋交い連結金物の立体図
【発明を実施するための形態】
【０００１０】  以下、本発明の実施の形態を図１〜図２に基づいて説明する。
【０００１１】  図においては、１は、筋交い連結金物で、上下の四角錘状に構成された上下の筋交いを連結する金物である。２は、応力配分合成部品で、全ネジシャフトとナットで構成される吊り支持材４と全ネジシャフトとナットに鋼管のさやで構成される筋交い５を連結して、地震時の水平応力を建築物の躯体９や空調機６に伝える応力配分合成部品で、３は筋交いの応力を応力配分合成部品に伝えるための筋交い材のボルトの引き止部品で、２の応力配分合成部品にネジ止めして使用する。
【０００１２】  ７は、建築物の天井等の躯体に埋め込んだ吊支持用インサート金物で、８は、筋交い連結金物１の取り付け穴で、筋交い連結金物に上下の筋交いを連結する取り付け穴である。
【符号の説明】
【０００１３】１  上下の四角錘状に構成された筋交いを連結する筋交い連結金物
２  筋交いの応力を吊支持材に伝える応力配分合成部品
３  筋交いの応力を応力配分合成部品に伝えるための筋交い材の引き止部品
４  吊り支持材
５  全ネジシャフトとナットに鋼管のさやで構成される筋交い材
【図１】
2016125654.tif 000003
【図２】
2016125654.tif 000004
(57)【要約】【課題】ガスストーブなどで熱せられた暖気は、その性質上天井付近に上がり、床は冷たいままである課題があった。これを、扇風機で天井から床に送ることも考えられるが、扇風機を持ってくるのも手間がかかるし、扇風機では効率よく床を温めることはできない。【解決手段】冷暖房装置において、排出される空気を床まで送るパイプを具備し、冷暖房装置の廃棄風向き調整板を閉じて空気が前面に出ない手段を具備し、排気を床に送る切替スイッチを具備することで、冷暖房装置で吸引した天井付近の暖気を床に送る仕組みを実現できる。【選択図】図１
2016125775.tif 000002
【特許請求の範囲】
【請求項１】
冷暖房装置において、排出される空気を床まで送るパイプなどの空気送出手段を具備し、冷暖房装置の廃棄風向き調整板を閉じて空気が前面に出ない手段を具備し、排気を床に送る切替スイッチを具備する冷暖房装置。
【発明の詳細な説明】
【技術分野】
【０００１】
部屋の暖房を行う機器であり、特に安価で簡便に床を暖房する機器に適用する。
【背景技術】
【０００２】
従来、床暖房装置は多数が製品化されているが、高価である、また、取り付け等が大変であった。
【先行技術文献】
【特許文献】
【０００３】
【特許文献１】床暖房装置単体での特許は数多くあるが、冷暖房装置で天井の暖気を吸い込み床に流し床を温める特許は無い。
【非特許文献】
【０００４】
【非特許文献１】床暖房装置単体は数多くあるが、冷暖房装置で天井の暖気を吸い込み床に流し床を温める事例は無い。
【発明の概要】
【発明が解決しようとする課題】
【０００５】
従来は、エアコンのような天井近くに設置する冷暖房装置はある。また、床を暖房する床暖房装置もある。
しかしながら、天井にたまった暖気を吸い込み床に送風する冷暖房装置は無かった。
このため、ガスストーブなどで熱せられた暖気は、その性質上天井付近に上がり、床は冷たいままである課題があった。
これを、扇風機で天井から床に送ることも考えられるが、扇風機を持ってくるのも手間がかかるし、扇風機では効率よく
床を温めることはできない。また、従来、送風機はあるが、冷暖房装置と一体にして、廉価で天井の暖気を床に流す考案はなかった。
また、送風機を用いて本発明のように天井の暖気を床に流すとなると、それなりの工事が必要であるし、一々送風機を設置するのも
面倒であり、大変である。
【課題を解決するための手段】
【０００６】
冷暖房装置において、排出される空気を床まで送るパイプを具備し、冷暖房装置の排気風向き調整板を閉じて空気が前面に出ない手段を具備し、排気を床に送る切替スイッチを具備することで、冷暖房装置で吸引した天井付近の暖気を床に送る仕組みを実現できる。この発明により、簡易で安価な暖気の再利用ができる装置を開発できる。送風機などを一々取り付けたりする面倒さもなくなる、一体型で提供できる効果もある。
【発明の効果】
【０００７】
本考案により、冷暖房装置で天井付近の暖気を吸い込み、床に送風し床を温められるので、ガスストーブなどで温められた
暖気が天井にたまり床が冷たいと言う問題が解決できる。これにより、燃料代の大きな節約ができる。また、単純な構造であり
この仕組みを安価に提供できる。送風機などを一々取り付けたりする面倒さもなくなる、一体型で提供できる効果もある。
家庭用の暖房はもとより、飲食店、集会場などで、天井ばかりが温められ、床あたりが冷たいような施設には大きな効果が期待できる。
【図面の簡単な説明】
【０００８】
【図１】図１は、床暖房機能付き冷暖房装置の全体の構造図
【発明を実施するための形態】
【０００９】
以下、本発明を実施するための最良の形態について図面を参照しながら説明する。
【実施例】
【００１０】
実施例を図１に示す。１は冷暖房装置、２は冷暖房装置から排出される空気の風向き調整板、３は動作モード切替スイッチ、４は冷暖房装置の廃棄を床に送風するパイプ、５は床に送られた暖気を床面に流す絨毯である。
動作原理を説明すると、３の動作モード切替スイッチを床暖房モードに切替えると、２の風向き調整板が冷暖房装置から前面に暖気が出ないように閉じられる。この状態で１の冷暖房装置が空気を吸い込むと、冷暖房装置の廃棄は６の排気口より４のパイプなどの通風手段を伝わって５の絨毯などの遮蔽手段の下に送られる。暖気は５の中を流れて床面を暖房し、５の外に出る。
５の構造は、暖気が床を這って床面を温める構造とする。暖気は、図のA、B、C、D、Eと流れ、Cの反対側のEの床面に放出され、対流で上方向に上がるように５を設置する。
【産業上の利用可能性】
【００１１】
この考案によれば、非常に安価に天井に溜まった暖気を床に流すなどができるので、
個人宅はもちろん、飲食店や、沢山の人が利用する施設にも利用できるので、利用価値は大きい。
【符号の説明】
【００１２】
１は冷暖房装置
２冷暖房装置から排出される空気の風向き調整板
３は動作モード切替スイッチ
４は冷暖房装置の廃棄を床に送風するパイプ
５は床に送られた暖気を床面に流す絨毯
６は排気口
【図１】
2016125775.tif 000003
(57)【要約】【課題】外出時に鍵を閉め忘れてしまう人が多く、外出先でも携帯やパソコンで確認する事が困難であった。本発明はこのような従来の発明を解決しようとするもので、外出先で携帯、パソコンで施錠状態を確認できることを提供することを目的とする。【解決手段】扉枠と、該扉枠に開閉自在に設けられ施錠により突出したデッドボルトを該扉枠に設けられたストライクに侵入することで前記デッドボルトがスイッチ感知部を押圧し前記スイッチ感知部の出力端子からＣＰＵにループ信号及びオープン信号を感知したことでインターネット網を経由し管理サーバーに施錠開錠の状態の情報を送ることで、スマートフォン、携帯電話、パソコン端末から前記管理サーバーにアクセスすることにより鍵の施錠開錠状態を確認出来ることを特徴とする鍵開閉検知装置を用いる。【選択図】図１
2016125263.tif 000002
【特許請求の範囲】
【請求項１】
扉枠と、該扉枠に開閉自在に設けられ施錠により突出したデッドボルトを該扉枠に設けられたストライクに侵入することで前記デッドボルトがスイッチ感知部を押圧し前記スイッチ感知部の出力端子からＣＰＵにループ信号及びオープン信号を感知したことでインターネット網を経由し管理サーバーに施錠開錠の状態の情報を送ることで、スマートフォン、携帯電話、パソコン端末から前記管理サーバーにアクセスすることにより鍵の施錠開錠状態を確認出来ることを特徴とする鍵開閉検知装置。
【発明の詳細な説明】
【技術分野】
【０００１】      本発明は、鍵の施錠状態を感知し回路を通ってＣＰＵで信号に変わり、あスマートフォン、パソコン、携帯で確認出来ることに関する。
【背景技術】
【０００２】ストライクにデッドボルトが入り鍵の施錠を感知するものはあるが、取り付けが簡単でインターネットで確認出来る装置が開発されていなかった。（特許文献１参照）
【先行技術文献】
【特許文献】
【０００３】
【特許文献１】特開２００７−０３２２３８号公報
【特許文献２】特開２００６−２６６０１８号公報
【発明の概要】
【発明が解決しようとする課題】
【０００４】外出時に鍵を閉め忘れてしまう人が多く、外出先でも携帯やパソコンで確認する事が困難であった。本発明はこのような従来の発明を解決しようとするもので、外出先で携帯、パソコンで施錠状態を確認できることを提供することを目的とする。
【課題を解決するための手段】扉枠と、該扉枠に開閉自在に設けられ施錠により突出したデッドボルトを該扉枠に設けられたストライクに侵入することで前記デッドボルトがスイッチ感知部を押圧し前記スイッチ感知部の出力端子からＣＰＵにループ信号及びオープン信号を感知したことでインターネット網を経由し管理サーバーに施錠開錠の状態の情報を送ることで、スマートフォン、携帯電話、パソコン端末から前記管理サーバーにアクセスすることにより鍵の施錠開錠状態を確認出来ることを特徴とする鍵開閉検知装置を用いる。
【発明の効果】
【０００５】    本発明に係る請求項１記載のシステムによればデッドボルトの施錠状態検知手段をストライクに設け、スイッチ部の状態をＣＰＵが感知し施錠感知信号に置き換え管理サーバーに通達することでインターネットから鍵の施錠の状態を知ることができ、鍵を閉め忘れても外出先で携帯、パソコンで確認することができる様になる。
【図面の簡単な説明】
【０００６】
【図１】本発明に係る鍵開閉検知装置の全体図である。
【図２】本発明に係る図１の施錠の状態を検知するスイッチ部の拡大図である。
【図３】本発明に係る施錠状態におけるフローチャートである
【実施例】
【０００７】本発明の鍵開閉感知装置は施錠すると図１の扉枠１に付いているキーアッセンブリー３から出てくるデッドボルト１１が、ストライク５内に取り付けられたスイッチ９のアクチュエーター１０を押圧することで、ループ信号及びオープン信号の状態を検知し感知信号用配線１２を経由してＣＰＵ１３に伝達する。前記の状態をもとにＣＰＵ１３はソフトウエアープログラムの動作図３によりインターネット回線１９及びインターネット網２２とインターネット回線２０を経由しデータセンター１６の内部に設置された管理サーバー１５に施錠開錠状態を通達する。また管理サーバー１５を用いることにより、各々の情報セキュリティ管理も合わせて行うことができる。使用者はスマートフォン、携帯電話、パソコン端末１７から送受信信号２１を使用しインターネット１８を経由してデータセンター１６内に設置された管理サーバー１５に接続する事により、施錠開錠の状態が確認出来る。【０００８】図３は設定されたタイマートリガーで一定時間間隔により感知信号回線に接続されたスイッチ９の状態を調べる。開の状態の時は開信号を作成し閉の状態の時は閉信号を送信情報として作成しインターネット回線１９及びインターネット網２２とインターネット回線２０を経由し情報をデータセンター１６内の管理サーバー１５に送信し以上の動作を繰り返す。
【符号の説明】
【０００９】１    扉
２    扉枠
３    キーアッセンブリー
４    ドアノブ
５    ストライク
６    ストライク取り付けビス
７    ラッチ
８    スイッチアッセンブリー取り付けビス
９    スイッチ
１０  アクチュエーター
１１  デッドボルト
１２  感知信号用配線
１３  ＣＰＵ
１４  交流電源
１５  管理サーバー
１６  データセンター
１７  スマートフォン
１８  ＡＣ電源線
１９  インターネット回線
２０  インターネット回線
２１  送受信信号
２２  インターネット網
【図１】
2016125263.tif 000003
【図２】
2016125263.tif 000004
【図３】
2016125263.tif 000005
(57)【要約】      （修正有）【課題】歩行者が衣服を引っかけることの無い、足でドアを開閉させるためのドアノブを提供する。【解決手段】歩行者が引っ掛からない形状、それでいて足裏でドアを開けることができる形状の半径３ｃｍの半球状のドアノブを床面より６ｃｍ上部（球の中心を軸）に設置する。【選択図】図１
2016125304.tif 000002
【特許請求の範囲】
【請求項１】
ドア下部に設置する、足裏でドアを開けるための半球状のドアノブ。                                                                                                  
【発明の詳細な説明】
【技術分野】
【０００１】
本考案は、足でドアを開閉させるためのドアノブに関するものである。                                                                   
【背景技術】
【０００２】
従来ドアは手で開閉するものであった。しかし分煙化が進み、飲食店では喫煙室が分室化され、そこにドアが設けられるようになった。食器を運ぶ店員は両手で食器を持ちながらそのドアを足で開閉しないといけなくなった。これは品位が無いと顧客に思われていた。足でドアを開閉するためのドアノブは、歩行者が衣類を引っかけるため、取り入れられていなかった。また既成概念として足でのドアの開閉は品位が無いと思われるため、導入していなかった。
【０００３】
飲食店において分煙化、喫煙室の普及が背景にあり、喫煙室を別空間にしてドアで仕切られる空間設計が流行している。飲食店店員は両手で食器を持ちながら足でドアを開閉するということをしていたが、足用のドアノブが、歩行者が引っ掛かるために無かった。                         
【先行技術文献】
【特許文献】
【０００４】
ドアノブに関する特許公開は、２０１５年１月で４８７件提出されているが、内容は大半が高度化、電子化するドアノブに関するもので、本件のようにクラッシックな技術内容で、かつ本件と同類の申請は見つけられない。市販のドアノブのカタログにも本件の商品は見つけられない。                                                                          
【発明の概要】
【発明が解決しようとする課題】
【０００５】
歩行者が引っ掛からない形状、それでいて足裏でドアを開けることができる形状でないといけない。
【課題を解決するための手段】
【０００６】
半径３ｃｍの半球状のドアノブを床面より６ｃｍ上部（球の中心を軸）に設置する。
【発明の効果】
【０００７】
飲食店店員が容易にドアを開けることができるようになり、ストレスが低減される。このドアノブがあれば品位が無いと思うこともないもので、顧客も不快感を減らすことができる。                            
【図面の簡単な説明】
【０００８】
【図１】球の半径は３ｃｍとする。２ｃｍだと引っ掛からないし、５ｃｍだと歩行者が躓く可能性がある。
【発明を実施するための形態】
【０００９】
技術的には可能だが、ドアを設けて分室化した飲食店が少なく、販売利益がでない可能性がある。足でドアを開閉したい人が、飲食店以外の業種にいるかどうかが製造判断のポイントになる。
【産業上の利用可能性】
【００１０】
分煙化の流行があって、飲食店で用いることができる。また足でドアを開閉したい人や、そうした状況にある業種の人に用いられる。
【図１】
2016125304.tif 000003
(57)【要約】【課題】半導体装置において、引抜孔を封止樹脂で被覆したときに、被覆樹脂がパッケージ外形からの突起となるため、半導体装置の外形寸法を大きくなってしまうという課題がある。で半導体装置を提供すること。【解決手段】本発明の半導体装置は、樹脂封止体と引抜孔と引抜孔を封止樹脂で覆っており、樹脂封止体は、樹脂凹部を備え、引抜孔は、樹脂封止体の樹脂凹部の内部に位置している。かつ、樹脂凹部の内壁面は、鏡面になっていることを特徴とする。【選択図】図１
2016072511.tif 000002
【特許請求の範囲】
【請求項１】
樹脂封止体と、引抜孔を備え、前記引抜孔を封止樹脂で覆っている半導体装置において、前記樹脂封止体は、樹脂凹部を備え、前記引抜孔は、前記樹脂封止体の前記樹脂凹部の内部に位置しており、前記樹脂凹部の内壁面は、鏡面になっていることを特徴とする半導体装置。
【発明の詳細な説明】
【技術分野】
【０００１】
本発明は、半導体装置に関し、特に絶縁性を完全にする構成とされた樹脂封止型半導体装置に関する。
【背景技術】
【０００２】
一般的な半導体装置は、リードフレームに半導体素子を搭載・配線し、モールド樹脂にて樹脂封止される。樹脂で覆うことにより、絶縁性を確保している。また、製造工程において、樹脂封止内部のリードフレーム位置精度を確保するために、リードフレームに支持部を設け、モールド樹脂から突出させている。樹脂封止後、突出した支持部は引き抜いている。引き抜かれた部分は引抜孔となる。
【０００３】
この引抜孔は、高い絶縁耐圧が得られないため、引抜孔を樹脂で覆うことが従来技術として知られている。（例えば、特許文献１参照、図８）これにより、引抜孔を完全に被覆でき、高絶縁耐圧化することができる。
【先行技術文献】
【特許文献】
【０００４】
【特許文献１】特開２０００−３６５０３号公報
【発明の概要】
【発明が解決しようとする課題】
【０００５】
しかしながら、従来技術は、引抜孔を樹脂で被覆したときに、被覆樹脂がパッケージ外形からの突起となるため、半導体装置の外形寸法を大きくしているという課題がある。
【０００６】
従って、本発明は、上述した課題を解決するためになされたものであり、パッケージ外形寸法を変えずに、高絶縁耐圧化した半導体装置を提供することを目的とする。
【課題を解決するための手段】
【０００７】
上述の課題を解決するために、本発明は、以下に掲げる構成とした。
本発明の半導体装置は、樹脂封止体と引抜孔と引抜孔を封止樹脂で覆っており、樹脂封止体は、樹脂凹部を備え、引抜孔は、樹脂封止体の樹脂凹部の内部に位置している。かつ、樹脂凹部の内壁面は、鏡面になっていることを特徴とする。
【発明の効果】
【０００８】
本発明は、樹脂封止体の引抜孔部を樹脂凹部に設けているので、引抜孔部を封止樹脂で覆っても、封止樹脂がパッケージ外形から突出せず、パッケージ外形寸法を変えずに、高絶縁耐圧化した半導体装置を提供することができる。
【図面の簡単な説明】
【０００９】
【図１】本発明の実施例１に係る半導体装置の要部斜視図である。
【図２】本発明の実施例１に係る半導体装置の要部側面図である。
【図３】半導体装置の支持部引き抜き前を示す側面断面図である。
【図４】半導体装置の支持部引き抜き後を示す要部側面図である。
【図５】半導体装置の支持部引き抜き後を示す要部斜視図である。
【発明を実施するための形態】
【００１０】
以下、本発明を実施するための形態について、図を参照して詳細に説明する。ただし、本発明は以下の記載に何ら限定されるものではない。
【実施例１】
【００１１】
本発明の実施例１に係る半導体装置１を説明する。図１は、本発明の実施例１に係る半導体装置１の要部斜視図である。図２は、その要部側面図である。図３から図５は、半導体装置１を製造する過程を示した要部側面図、要部斜視図である。半導体装置１は、一般的に構成される樹脂封止型半導体装置の構造である。
【００１２】
まず、図３に示すように、半導体装置１は、パッケージである樹脂封止体４からリードフレーム２の支持部３が突出している。パッケージ内部のリードフレーム２の位置精度を確保するために、リードフレーム２に支持部３を設け、樹脂封止体４から突出させている。
【００１３】
次に、図４、図５に示すように、半導体装置１は、樹脂封止体４からリードフレーム２の支持部３を引き抜き、引抜孔５が残る。これは、樹脂封止後、不要な支持部３を引き抜いて除去したものである。
【００１４】
また、樹脂封止体４には、樹脂凹部６が備わっている。これは、開口部である引抜孔５をパッケージ端面から内部に引き込こんでいるためである。
【００１５】
また、樹脂凹部６は、内面を鏡面状態にしている。これは、後述の封止樹脂７を滴下した時に、樹脂封止体４の表面において、封止樹脂７の流動性をよくするためである。
【００１６】
次に、封止樹脂７を引抜孔５に滴下硬化させ、引抜孔５の開口部に樹脂を流し入れて孔を覆う。樹脂で覆うことにより、パッケージ本体の絶縁性を確保している。
【００１７】
樹脂の滴下時は、一般的なシリンジとノズルを用いて樹脂を吐出する。この時、例えば、２２Ｇ径のノズルで先端を斜めカットやＶ字状カットしたものを使い、孔の横方向から滴下するとよい。
【００１８】
引き抜き孔は長方形が多く、この長手方向に平行になるように、樹脂を滴下する。これにより、少量の樹脂使用で、はみ出しに対応することができる。また、樹脂が孔に横から少しづつ流れ込み、空気を巻き込むことを抑制できる。これにより、ピン等で内部気泡を除去することが不要になる。
【００１９】
次に、上述の実施例１に係る半導体装置１の効果を説明する。
【００２０】
本発明の実施例１に係る半導体装置では、樹脂凹を設け、樹脂凹部内に引抜孔を設けているので、封止樹脂で引抜孔を被覆しても、樹脂凹内から、封止樹脂が出っ張ることを抑制することができる。これにより、パッケージ外形寸法が大きくならない半導体装置とすることができる。
【００２１】
また、樹脂凹部の内面が、鏡面になっているので、封止樹脂の流動性が向上し、充填しやすくすることができる。
【００２２】
上述のように、本発明を実施するための形態を記載したが、この開示から当業者には様々な代替実施の形態、実施例が可能であることが明らかになるはずである。
【符号の説明】
【００２３】
１、半導体装置
２、フレーム
３、支持部
４、樹脂封止体
５、引抜孔
６、樹脂凹部
７、封止樹脂
【図１】
2016072511.tif 000003
【図２】
2016072511.tif 000004
【図３】
2016072511.tif 000005
【図４】
2016072511.tif 000006
【図５】
2016072511.tif 000007
(57)【要約】【課題】樹脂封止工程において、トランスファーモールド装置やモールド金型等の製造設備の強化をせずに、封止樹脂体からタイバの隙間への樹脂漏れを容易に防止できる半導体装置を提供すること。【解決手段】本発明の半導体装置は、樹脂封止体と、リード端子と、タイバから成り、タイバの樹脂封止体側に凹部が備えられている。また、凹部は、樹脂封止体から漏れ出た樹脂の流れを導くように開口され、変形容易部を備えていることを特徴とする。【選択図】図１
2016072512.tif 000002
【特許請求の範囲】
【請求項１】
樹脂封止体と、リード端子と、タイバから成る半導体装置において、前記タイバの前記樹脂封止体側に凹部が備えられていることを特徴とする半導体装置。
【請求項２】
前記凹部は、前記樹脂封止体から漏れ出た樹脂の流れを導くように開口され、変形容易部を備えていることを特徴とする請求項１に記載の半導体装置。
【発明の詳細な説明】
【技術分野】
【０００１】
本発明は、半導体装置に関し、特に樹脂封止時の樹脂漏れを防止する半導体装置に関する。
【背景技術】
【０００２】
一般的な半導体装置は、リードフレームに半導体素子を搭載・配線し、モールド樹脂にて樹脂封止される。樹脂で覆うことにより、絶縁性を確保している。また、樹脂封止工程において、リードフレームをモールド金型に嵌め込み、樹脂を充填する。この時、モールド金型に対して、リードフレームが容易に嵌め合いできるように、隙間が設けられている。隙間に樹脂が流れ込むが、これを防止する種々の技術が知られている。例えば、特許文献１には、モールド金型にかしめ部を突設し、リードフレームを押し潰している。これにより、モールド金型とリードフレームの隙間を塞ぎ、樹脂漏れを抑制することができる。
【先行技術文献】
【特許文献】
【０００３】
【特許文献１】特開平５−２９１３２９号公報
【特許文献２】特開    号公報
【発明の概要】
【発明が解決しようとする課題】
【０００４】
一般的に、リードフレームは複数の半導体パッケージが連なっている。さらに、モールド金型は複数のリードフレームを型締めして、樹脂成形をおこなっている。
【０００５】
しかしながら、従来技術は、モールド金型が、複数の箇所でリードフレームを押し潰しているため、モールド金型の型締め（クランプ力）において、強力なパワーが必要になり、プレス装置の強化が必要であるという課題がある。
【０００６】
従って、本発明は、上述した課題を解決するためになされたものであり、樹脂封止工程において、トランスファーモールド装置やモールド金型等の製造設備の強化をせずに、封止樹脂体からタイバの隙間への樹脂漏れを容易に防止できる半導体装置を提供することを目的とする。
【課題を解決するための手段】
【０００７】
上述の課題を解決するために、本発明は、以下に掲げる構成とした。
本発明の半導体装置は、樹脂封止体と、リード端子と、タイバから成り、タイバの樹脂封止体側に凹部が備えられている。また、凹部は、樹脂封止体から漏れ出た樹脂の流れを導くように開口され、変形容易部を備えている。
【発明の効果】
【０００８】
本発明は、リードフレームのタイバに凹部や変形容易部を設けているので、樹脂封止時に、製造設備の強化をせずに、封止樹脂の隙間への樹脂漏れを容易に防止できる半導体装置を提供することができる。
【図面の簡単な説明】
【０００９】
【図１】本発明の実施例１に係る半導体装置を示す平面図である。
【図２】本発明の実施例１に係る半導体装置の要部拡大平面図である。
【発明を実施するための形態】
【００１０】
以下、本発明を実施するための形態について、図を参照して詳細に説明する。ただし、本発明は以下の記載に何ら限定されるものではない。
【実施例１】
【００１１】
本発明の実施例１に係る半導体装置１を説明する。図１は、半導体装置１を示す平面図である。図２は、半導体装置１の要部平面図である。
【００１２】
図１に示すように、半導体装置１は、樹脂封止体２とリード端子３とタイバ４から成っている。また、半導体装置１は、複数の樹脂封止体２が連結されている状態のものである。
【００１３】
樹脂封止体２は、トランスファーモールド装置によって、順に樹脂が充填され樹脂成形される。
【００１４】
リード端子３は、樹脂封止体２から突出している。外部入出力の端子である。
【００１５】
タイバ４は、リード端子３を連結しており、短冊状のリードフレームとして形成される。タイバ４は、最終的に切断除去し、個片の半導体装置となる。
【００１６】
ここで、タイバ４は、凹部５を備えている。凹部５は、タイバの樹脂封止体２側に形成している。これは、リードフレームを製造する時に、タイバを凹形状にカットすればよい。
【００１７】
トランスファーモールド時に、リード端子３とタイバ４をモールド金型７に嵌め合わせる。この時、容易に嵌め合わせることができるように、モールド金型７の溝が余裕を持って形成されている。すなわち、リード端子３およびタイバ４とモールド金型７との間に隙間があいている。
【００１８】
樹脂成形時に樹脂封止体２から充填が完了すると樹脂８が、隙間に漏れ出てくる。この時、漏れ出た樹脂８は、次に充填される隣の樹脂封止体部へ流れ入り込む。
【００１９】
この樹脂８の漏れを防ぐために、凹部５に樹脂８を溜めて流れを停止させる。
【００２０】
また、タイバ４の凹部５に変形容易部６を形成しておく。樹脂封止体２から漏れ出た樹脂８の流れを導くように開口され、変形容易部６が変形し、リード端子３およびタイバ４とモールド金型７との間に隙間を塞ぐようにすることができる。
【００２１】
次に、上述の実施例１に係る半導体装置１の効果を説明する。
【００２２】
半導体装置１では、タイバに凹部を空間として設けているので、漏れ出た樹脂が樹脂溜まりとなり、これ以上漏れ出ないようにすることができる。タイバに凹部を形成するだけなので、トランスファーモールド装置やモールド金型等の製造設備を特別に強化する必要がない。
【００２３】
また、タイバの凹部には変形容易部が備えてあるので、漏れ出た樹脂が凹部に入り込み、変形容易部を隙間へ押し出すので、樹脂漏れ出し経路を完全に遮断し、これ以上、樹脂が漏れ出ないようにすることができる。
【００２４】
上述のように、本発明を実施するための形態を記載したが、この開示から当業者には様々な代替実施の形態、実施例が可能であることが明らかになるはずである。
【符号の説明】
【００２５】
１、半導体装置
２、樹脂封止体
３、リード端子
４、タイバ
５、凹部
６、変形容易部
７、モールド金型
８、樹脂
【図１】
2016072512.tif 000003
【図２】
2016072512.tif 000004